(57)【要約】      （修正有）【課題】高所での作業を省略できる、ケーブル延線用のケーブル牽引紐の架設装置を提供する。【解決手段】ケーブル用吊線１に巻回支持させた螺旋状のケーブル延線用ハンガー２に、先導具４と該先導具４に接続した押送杆５とで成る牽引紐通し具３を用いてケーブル牽引紐を通して一方の電柱ｄ側から他方の電柱ｄ´側にわたすようにする。前記ケーブル延線用ハンガー２に前記先導具４を前記一方の電柱側ｄから嵌挿支持させ、該先導具４に地上に配置したリール６から導出した前記押送杆５の先端を案内管７を通じて接続する。そして、案内管７は上端を前記一方の電柱ｄ近傍に配置し、自由端側の下端を地上位置に配置する。【選択図】図１
2008092769.tif 000002
【特許請求の範囲】
【請求項１】
ケーブル用吊線に巻回支持させた螺旋状のケーブル延線用ハンガーに、先導具と該先導具に接続した押送杆とで成る牽引紐通し具を用いてケーブル牽引紐を通して一方の電柱側から他方の電柱側にわたすようにしたケーブル延線用のケーブル牽引紐の架設装置において、前記ケーブル延線用ハンガーに前記先導具を前記一方の電柱側から嵌挿支持させ、該先導具に地上に配置したリールから導出した前記押送杆の先端を案内管を通じて接続すると共に、案内管は上端を前記一方の電柱近傍に配置し、自由端側の下端を地上位置に配置した、ケーブル延線用のケーブル牽引紐の架設装置。
【発明の詳細な説明】
【技術分野】
【０００１】
本発明は、ケーブル延線用のケーブル牽引紐の架設装置に関するものである。
【背景技術】
【０００２】
ケーブルの延線（架線）施工として、ケーブル用吊線（概し、メッセンジャーワイヤー）に巻回支持させた螺旋状のケーブル延線用ハンガーに、一方の電柱側から他方の電柱側へと牽引紐通し具を用いて牽引紐を通して、一方の電柱側の牽引紐の端末に接続したケーブルを、他方の電柱側に配した牽引紐の先端を牽引することによりケーブルを電柱間に架設することが行われている。そして前記の牽引紐通し具は、先導具と該先導具に接続した押送杆（ＦＲＰなどの弾発性の剛性杆で構成する）とで構成し、牽引紐を電柱間にわたす予備作業である牽引紐の通し作業は、この牽引紐通し具の前記先導具を前記押送杆を用いて一方の電柱側から他方の電柱側へと移送する必要があり、この移送後他方の電柱側から先導具を先端側として牽引紐通し具を牽引にして牽引紐を通すのであるが、牽引紐通し具の押送作業は柱上などの高所で行っているのが一般である（例えば、特許文献１）。
【０００３】
【特許文献１】特許第３０２５７６７号公報
【発明の開示】
【発明が解決しようとする課題】
【０００４】
前記従来例は、牽引紐通し具の押送（移送）操作を柱上又は空中に設置したバケット内における高所で行っているので危険であり、また、作業空間を必要とするから装柱機器が嵩んだ柱上位置では当該作業が難しい場合がある。
【０００５】
本発明は、高所での作業を省略できる、ケーブル延線用のケーブル牽引紐の架設装置を提供することを目的として創案したものである。
【課題を解決するための手段】
【０００６】
ケーブル用吊線に巻回支持させた螺旋状のケーブル延線用ハンガーに、先導具と該先導具に接続した押送杆とで成る牽引紐通し具を用いてケーブル牽引紐を通して一方の電柱側から他方の電柱側にわたすようにしたケーブル延線用のケーブル牽引紐の架設装置において、前記ケーブル延線用ハンガーに前記先導具を前記一方の電柱側から嵌挿支持させ、該先導具に地上に配置したリールから導出した前記押送杆の先端を案内管を通じて接続すると共に、案内管は上端を前記一方の電柱近傍に配置し、自由端側の下端を地上位置に配置した構成としたものである。
【発明の効果】
【０００７】
本発明によれば、地上に設置したリールより押送杆を繰り出すと、押送杆は案内管に引っ掛かることなく、その剛性によって地上から柱上へと該案内管に案内されて確実に移動し、その結果、螺旋状のケーブル延線用ハンガーに嵌挿した先導具は該ハンガーに沿って一方の電柱側から他方の電柱側へと押送杆に押送されて確実に移動し、ケーブル牽引紐の牽引作業の準備である牽引紐通し具の電柱間のわたし作業を行うことができ、ケーブル延線作業に用いるにきわめて好適な装置を提供できるのである。
【実施例】
【０００８】
図面は本発明に係るケーブル延線用のケーブル牽引紐の架設装置の一実施例を示し、図１は略示説明図、図２は先導具を押送させた状態の略示説明図である。
【０００９】
図中、１は電柱ｄ，ｄ´間に架設したケーブル用吊線（メッセンジャーワイヤーや自己支持型ケーブル）で、該吊線１に、前記電柱ｄ，ｄ´間にわたって巻回支持させた（例えば、特許文献１に記載の方法がある）、既設の螺旋状のケーブル延線用ハンガー２の一方の電柱ｄ側の一端に、牽引紐通し具３の先導具４を嵌挿支持させ、該先導具４の後端に接続して先導具４と共に前記牽引紐通し具３を構成する押送杆５を地上に配置したリール６からその先端を導出して案内管７を通じて前記先導具４の後端に接続し、また、案内管７をその上端側を前記一方の運電柱ｄ近傍に係離自在止着し、下端側を手先で保持できる地上位置に配して実施例装置としたものである。
【００１０】
この実施例装置を得るには、例えば、案内管７の上端側を電柱ｄ近傍に定着させた後、当該案内管７にリール６から導出した押送杆５を地上から挿通させ、柱上において案内管７より突出した押送杆５の先端と先導具４とを接続し、先導具４を延線用ハンガー２に前記の通り嵌挿支持させることにより得られる。
【００１１】
前記先導具４は、前記文献１や特許第３５０９６０９号公報にそれぞれ記載の構造のものがあり、要するに、押送杆５によって押送することによって、ケーブル用吊線１に支持させたケーブル延線用ハンガー２の螺旋体の内側に沿って一方の電柱ｄ側から他方の電柱ｄ´側へとハンガー２の螺旋形から外れることなく移動できるものであれば良い。
【００１２】
また、先導具４に先端を接続して（取付けて）、牽引紐通し具３を構成する押送杆５は、少なくも先導具４を一方の電柱ｄ側から他方の電柱ｄ´側まで地上からの操作によって押送できる程度に見合う長さを備え、実施例にあってはＦＲＰ製の可撓性線体で成り、剛性や弾発性を備えたもの（前記文献等々に記載されている公知のもの）である。
【００１３】
案内管７は、実施例は、屈曲性のある合成樹脂管で成り、しかも、該案内管７に挿通させた前記押送杆５の剛性や弾発性に耐えて変形しないで、押送杆５の移動を円滑に案内させるようにしたもの（押送杆５の合成によって変形して押送杆５が引っ掛かることのないもの）で、金属管（ホース）でも不都合はない。  そして、実施例の案内管７は上端側にフック７ａを備え、このフック７ａを電柱ｄに装柱した機器や前記吊線１等電柱ｄ周辺のものに掛止するようにして当該上端部の係離自在の止着を行う。
【００１４】
しかして、図１の実施例装置の状態から、案内管７の下端側を保持しつつ、繰出し規制状態にあった押送杆５をリール６から繰り出すと、押送杆５は案内管７に案内されて上昇移動し、その移動圧が先導具４に負荷されて、先導具４はハンガー２の内側に沿って一方の電柱ｄ側から他方の電柱ｄ´側へと移動し、押送杆５は両電柱ｄ，ｄ´間に、螺旋状のケーブル延線用ハンガー２に支持された状態で張架される。
【００１５】
そして、この状態で先導具４をハンガー２部から離脱させて電柱ｄ´側の地上部に導き、地上において該先導具４に接続した押送杆５を牽引すると、リール６から離脱した押送杆５の末端（後端）に接続した牽引紐１１は押送杆５の移動に追従して案内管７を通じてハンガー２内側を移動しその先端が電柱ｄ´側の地上部にいたることになり、次いで、牽引紐１１を牽引すると、該牽引紐１１の末端に接続したケーブル１２は、案内管７を通じて移動して電柱ｄ，ｄ´間にハンガー２に支持されて吊架されるのである。
【図面の簡単な説明】
【００１６】
【図１】略示説明図。
【図２】先導具を押送させた状態の略示説明図。
【符号の説明】
【００１７】
１          ケーブル用吊線
２          螺線状のケーブル延線用ハンガー
３          牽引紐通し具
４          先導具
５          押送杆
６          リール
７          案内管
１１        ケーブル牽引紐
ｄ，ｄ´    電柱
【図１】
2008092769.tif 000003
【図２】
2008092769.tif 000004